(57)【要約】  素子の変形により起電力を生じるセンサ素子であって、センサ間のクロストークを生じさせずに、空気中で安定的に、かつ高い応答感度で機能する軽量で可撓性を有する変形センサを提供する。  変形によって起電力を生じるマルチ積層変形センサ１は、複数層の高分子固体電解質３ａ・３ｂを備えたシート状の可撓性素子であって、該高分子固体電解質層３ａに接して挟む対の電極４ａ・２および該高分子固体電解質層３ｂに接して挟む対の電極２・４ｂを有するものである。
2010095581.tif 000002
【特許請求の範囲】
【請求項１】
複数層の高分子固体電解質を備えたシート状の可撓性素子であって、該高分子固体電解質の各層に接して挟む対の電極を有することを特徴とする変形によって起電力を生じるマルチ積層変形センサ。
【請求項２】
該複数層の高分子固体電解質の各層が同一成分、各電極が同一成分であることを特徴とする請求項１に記載のマルチ積層変形センサ。
【請求項３】
該高分子固体電解質の成分が実質的に水を含まないことを特徴とする請求項１に記載のマルチ積層変形センサ。
【請求項４】
前記変形によって起電力を生じた位置を、該シート状の可撓性素子の二次元座標で検出することを特徴とする請求項１に記載のマルチ積層変形センサ。
【請求項５】
前記変形によって起電力を生じた位置を、該シート状の可撓性素子の二次元座標で検出し、該変形の変位量を該起電力として検出することを特徴とする請求項１に記載のマルチ積層変形センサ。
【請求項６】
前記変形が加圧によって生じたものであり、前記変形によって起電力を生じた位置を該シート状の可撓性素子の二次元座標で検出し、該加圧力の分布を該起電力として検出することを特徴とする請求項１に記載のマルチ積層変形センサ。
【請求項７】
少なくとも１つの該電極がパターン形状を有しており、該変形位置、および変位量または圧力分布を検出することを特徴とする請求項１に記載のマルチ積層変形センサ。
【請求項８】
該高分子固体電解質の各層に接して挟む対の電極が、当該層を隔てて該電極を見透すと交差するパターン形状を有しており、該変形位置、および変位量または圧力分布を検出することを特徴とする請求項１に記載のマルチ積層変形センサ。
【請求項９】
複数層の高分子固体電解質の各層に接して挟む対の電極に生ずる起電力であって、双方の層から同時に発生した起電力の位置および大きさを計測し、変形位置および圧力分布を検出する方法。
【発明の詳細な説明】
【技術分野】
【０００１】
本発明は、有感層を複数層有する可撓性素子の変形によって起電力を生じ、二次元平面上状での変形位置および圧力分布、さらには三次元空間における、変位や位置を検出可能なマルチ積層型の変形センサ、及びこのマルチ積層変形センサによる検知方法に関するものである。
【背景技術】
【０００２】
近年、医療介護機器、産業用ロボットやパーソナルロボットなどの分野において、小型で軽量なセンサの必要性が高まっている。また歪みセンサ、振動センサとして、複雑な形状の構造物に設置可能な軽量で柔軟なセンサの必要性が高まっている。【０００３】
機械エネルギーを電気エネルギーに変換するセンサとしては、圧電セラミックス等を用いた圧電素子が広く用いられている。チタン酸バリウムやジルコン酸チタン酸鉛（ＰＺＴ）などに代表される圧電セラミックスは、そのセラミックスが応力を受けることで電荷を発生する圧電効果により、機械エネルギーを電気エネルギーに変換している。【０００４】
しかしこれらの圧電セラミックスを用いたセンサは、高密度の無機材料を用いるために、低重量であることが求められる用途では使用できないことがある。また、耐衝撃性に劣るために、外部からの衝撃が加わった場合に圧電セラミックスが破壊されてセンサ機能が低下しやすい。また、可撓性に劣るために、球面や凹凸を有する複雑な形状の構造物に設置することが求められる用途では使用することが難しく、大きな変形や小さな応力を検出することができなかった。【０００５】
二次元平面上の圧力分布を検出できる圧力センサとしては、例えばフッ化ビニリデン等の高分子圧電体を用いたセンサ（特許文献１）や、感圧ゴムに代表される異方性導電物質を用いて抵抗変化を検出するセンサ（特許文献２）等が知られている。しかし、これらでは圧力分布の検出は可能であるが、高さ方向の変位や位置を検出することはできなかった。【０００６】
これらセンサの逆作用をするものとしてアクチュエータが知られており、なかでも高分子アクチュエータが注目されている。例えば含水高分子ゲルの温度変化、ｐＨ変化、電場印加等の刺激による形体変化を利用した高分子アクチュエータが考案されている（特許文献３参照）。この高分子アクチュエータは、逆作用として圧力や変位等の機械エネルギーを電気エネルギーに変換することができるため、センサとしての使用もできる（例えば特許文献４参照）。【０００７】
しかしながら、含水高分子ゲルの種々の刺激による形態変化は一般に非常に遅く、また含水高分子ゲルの不均一な架橋構造に由来して力学強度も低いため、実際に変形センサとして利用するには更なる改良が必要である。【０００８】
上記の課題を克服すべく、イオン交換樹脂膜とその両面に接合した電極とからなり、前記イオン交換樹脂膜の含水状態において、前記イオン交換樹脂膜に電位差をかけて湾曲及び変形を生じさせることを特徴とする高分子アクチュエータが考案されている（特許文献５参照）。しかしながら、この高分子アクチュエータは動作に水が必須であるため動作環境は湿潤環境に限られ、水が揮発した場合はアクチュエータの柔軟性が乏しくなり大きな変形を検出するためのセンサへの適用が困難となる問題があった。【０００９】
また、イオン交換樹脂膜とその両面に接合した金属電極とからなる高分子アクチュエータにおいて、パターン形状に配した電極を有し、電極／電解質／電極の層構成からなる作動部を複数備えたアクチュエータ素子が報告されている（特許文献６）。このアクチュエータは、センサとして機能する作動部の数を大幅に増して、変形位置や圧力分布を検出するためのセンサへ適用する場合、各作動部が相互に電気的に絶縁状態で配置されているために、各作動部から外部電気回路に導通するリード体を個々に形成させる必要が生じ構造が複雑になる問題があった。【００１０】
さらに、特許文献５、特許文献６に例示されるような、電極ａ／電解質ｂ／電極ｃの３層構成からなる積層体において、変形位置及び圧力分布を検出するセンサとして使用する場合は、例えば、電極ａ、及び、電極ｃを見透した投影面上の一部に交点を有する電極パターンとし、その交点で電極ａ／電解質ｂ／電極ｃの層構成を形成するように設計する必要が生じる。しかしこの場合、電極ａ／電解質ｂ／電極ｃからなる各センサ部は電極ａ、及び電極ｃを介して閉回路を形成することになり、この場合、センサ間のクロストークが回避できない。つまり、一種のコンデンサと見なすことができる各センサ部が一つの閉回路を形成するために、一つのセンサに曲げ変形を与えて起電力が生じた場合、変形を付与されていない他のセンサに起電力が生じることが避けられず、その結果、電圧信号の処理が複雑となり、特に多点の変形位置や、二次元平面での変形位置に加えて高さ方向の位置情報を検出することが困難になる。
【先行技術文献】
【特許文献】
【００１１】
【特許文献１】特開平１０−３８７３６号公報
【特許文献２】特開２００７−１０４８２号公報
【特許文献３】特開昭６３−３０９２５２号公報
【特許文献４】特開２００６−１７３２１９号公報
【特許文献５】特開２００４−２８９９９４号公報
【特許文献６】特開２００４−２８２９９２号公報
【発明の概要】
【発明が解決しようとする課題】
【００１２】
本発明は上記のような問題点を克服するためになされたもので、素子の変形により起電力を生じるセンサ素子であって、空気中で安定的に、かつ高い応答感度で機能する軽量で可撓性を有する変形センサを提供することを目的とする。
【課題を解決するための手段】
【００１３】
前記の目的を達成するためになされた、請求の範囲の請求項１に記載された変形によって起電力を生じるマルチ積層変形センサは、複数層の高分子固体電解質を備えたシート状の可撓性素子であって、該高分子固体電解質の各層に接して挟む対の電極を有することを特徴とする。【００１４】
請求項２に記載のマルチ積層変形センサは、請求項１に記載されたものであって、該複数層の高分子固体電解質の各層が同一成分、各電極が同一成分であることを特徴とする。【００１５】
請求項３に記載のマルチ積層変形センサは、請求項１に記載されたものであって、該高分子固体電解質の成分が実質的に水を含まないことを特徴とする。【００１６】
請求項４に記載のマルチ積層変形センサは、請求項１に記載されたものであって、前記変形によって起電力を生じた位置を、該シート状の可撓性素子の二次元座標で検出することを特徴とする。【００１７】
請求項５に記載のマルチ積層変形センサは、請求項１に記載されたものであって、前記変形によって起電力を生じた位置を、該シート状の可撓性素子の二次元座標で検出し、該変形の変位量を該起電力として検出することを特徴とする。【００１８】
請求項６に記載のマルチ積層変形センサは、請求項１に記載されたものであって、前記変形が加圧によって生じたものであり、前記変形によって起電力を生じた位置を該シート状の可撓性素子の二次元座標で検出し、該加圧力の分布を該起電力として検出することを特徴とする。【００１９】
請求項７に記載のマルチ積層変形センサは、請求項１に記載されたものであって、少なくとも１つの該電極がパターン形状を有しており、該変形位置、および変位量または圧力分布を検出することを特徴とする。【００２０】
請求項８に記載のマルチ積層変形センサは、請求項１に記載されたものであって、該高分子固体電解質の各層に接して挟む対の電極が、当該層を隔てて該電極を見透すと交差するパターン形状を有しており、該変形位置、および変位量または圧力分布を検出することを特徴とする。【００２１】
請求項９に記載の変形位置および圧力分布を検出する方法は、複数層の高分子固体電解質の各層に接して挟む対の電極に生ずる起電力であって、双方の層から同時に発生した起電力の位置および大きさを計測することを特徴とする。
【発明の効果】
【００２２】
本発明のマルチ積層変形センサは、軽量で可撓性を有しており、空気中のような乾燥状態で機械的な曲げ変形に高い感度で応答して起電力を発生する。その構造が電極／高分子固体電解質／電極／高分子固体電解質層／電極からなる層構造であるため、センサの二次元平面（広がり方向）でクロストークを生じさせずに、曲げ変形により生じる起電力の二次元分布を安定にかつ正確に検知することが可能である。【００２３】
また、各電極のうち少なくとも１つの電極をパターン形状にすることで、センサ部で電極／高分子固体電解質／電極／高分子固体電解質層／電極からなる層構造を形成し、変形位置及び圧力分布を精度よく検出することが可能となる。
【図面の簡単な説明】
【００２４】
【図１】本発明を適用するマルチ積層変形センサの一実施例を示す断面図である。
【図２】本発明を適用するマルチ積層変形センサの電極パターンがストライプ電極である例の斜視図である。
【図３】図２におけるマルチ積層変形センサの実施例の平面図である。
【図４】同じくマルチ積層変形センサの電極パターンの別な実施例の平面図である。
【図５】同じくマルチ積層変形センサの電極パターンの別な実施例の平面図である。
【図６】同じくマルチ積層変形センサの電極パターンの別な実施例の平面図である。
【図７】同じくマルチ積層変形センサの電極パターンの別な実施例の平面図である。
【図８】同じくマルチ積層変形センサの電極パターンの別な実施例の平面図である。
【図９】同じくマルチ積層変形センサの電極パターンの別な実施例の平面図である。
【図１０】同じくマルチ積層変形センサの電極パターンの別な実施例の一部切欠き平面図である。
【図１１】本発明を適用する集電体を備えた電極を有するマルチ積層変形センサの一実施例の切欠き斜視図である。
【図１２】図１１における集電体を備えた電極を有するマルチ積層変形センサの実施例の平面図である。
【図１３】同じく集電体を備えた電極を有するマルチ積層変形センサの別な実施例の側面図である。
【図１４】同じく集電体を備えた電極を有するマルチ積層変形センサの別な実施例の平面図である。
【図１５】比較例１における変形センサの斜視図である。
【図１６】比較例１における変形センサの上方から見た平面図である。
【図１７】比較例２における変形センサの斜視図である。
【図１８】比較例２における変形センサの平面図である。
【符号の説明】
【００２５】
１はマルチ積層変形センサ、２は中央電極、３ａは第一高分子固定電解質層、３ｂは第二高分子固定電解質層、４ａは第一電極、４ｂは第二電極、６・６ａ・６ｂはリード体、７ａ・７ｂは矩形電極、８ａ・８ｂは電極、９・９ａ・９ｂは集電体、１０ａ・１０ｂは集電体付き電極、１１は第一積層体、１２は第二積層体、１５ａ・１５ｂは集電体付きストライプ電極、２０は変形センサ、２２は矩形電極、２５は変形センサ、３０は変形センサ、Ｐは変形位置である。
【発明を実施するための形態】
【００２６】
以下、本発明のマルチ積層変形センサについて好ましい実施形態を、図面を参照して具体的に説明する。
【００２７】
図１は、本発明のマルチ積層変形センサの基本構造の断面を示すものである。変形センサ１は、中央電極２、その中央電極２を挟む第一高分子固体電解質層３ａ及び第二高分子固体電解質層３ｂ、さらにこれを挟む第一電極４ａ及び第二電極４ｂからなる可撓性素子である。その全体構成は、第一電極４ａ／第一高分子固体電解質層３ａ／中央電極２／第二高分子固体電解質層３ｂ／第二電極４ｂとなる。第一電極４ａ／第一高分子固体電解質層３ａ／中央電極２は第一積層体１１を構成し、中央電極２／第二高分子固体電解質層３ｂ／第二電極４ｂは第二積層体１２を構成している。すなわち、本発明のマルチ積層変形センサは、中央電極を共通の電極とし、対称に複数の高分子固体電解質と電極によって構成されるマルチ変形センサである。
【００２８】
第一電極４ａ、中央電極２、及び第二電極４ｂには、外部電気回路、例えばデータロガーに接続されるリード体６ａ、６、及び６ｂが接続される。リード体６ａ、６、及び６ｂの導電率は、第一電極４ａ、中央電極２、及び第二電極４ｂの導電率の１０倍程度以上高くなっている。
【００２９】
第一積層体１１、及び第二積層体１２は、共通の変形原因によって生じる起電力を、夫々リード体６ａと６との間、及びリード体６と６ｂとの間に生じさせる。リード体６ａ、６、及び６ｂを介して外部電気回路に電圧信号が入力する。第一積層体１１、及び第二積層体１２の変形によって生じる起電力を同時に検出することで、高分子固体電解質層を共有するセンサの二次元的（平面的）広がりによる隣合う電極間でのクロストークがなく、変形位置および圧力分布を安定的に検出することが可能となる。
【００３０】
二次元的な広がりを持つ単一のセンサで、変形位置および圧力分布を精度良く検出する観点から、各電極のうち少なくとも１つの電極がパターン形状を有していることが好ましい。電極パターンは、第一電極４ａ、及び第二電極４ｂを見透した投影面上の一部に交点を有しているものである。その交点で第一電極４ａ／第一高分子固体電解質層３ａ／中央電極２／第二高分子固体電解質層３ｂ／第二電極４ｂの層構成を形成するよう設計することが更に好ましい。
【００３１】
このような電極パターンを有するセンサの一例を、図２の斜視図に示す。第一高分子固体電解質層３ａ、中央電極２、及び第二高分子固体電解質層３ｂの層構成からなる積層体の、第一高分子固体電解質層３ａの外面に、Ｙ方向のストライプ状（縞パターン）の第一電極４ａ１・４ａ２・４ａ３・・・がＸ方向に並べて設けられ、第二高分子固体電解質層３ｂの外面にＸ方向のストライプ状の第二電極４ｂ１・４ｂ２・４ｂ３・・・がＹ方向に並べて設けられている。第一電極４ａ１・４ａ２・４ａ３・・・、及び第二電極４ｂ１・４ｂ２・４ｂ３・・・は、見透した投影面上の一部に交点を有している。その交点で第一電極／第一高分子固体電解質／中央電極／第二高分子固体電解質／第二電極からなるセンサ部を形成している。
【００３２】
図３は、図２に斜視図で示したセンサの平面図を示してある。例えば位置Ｐ１１を押して変形させた場合、ストライプ状の第一電極４ａ１と中央電極２間、及びストライプ状の第二電極４ｂ１と中央電極２間で起電力が生じるため、ストライプ状の第一電極４ａ１の線Ｐ１１・Ｐ１２・Ｐ１３・・・上、及び、ストライプ状の第二電極４ｂ１の線Ｐ１１・Ｐ２１・Ｐ３１・・・上に変形位置が存在することを外部回路が認識できる。これにより、ストライプ状の第一電極４ａ１とストライプ状の第二電極４ｂ１との交点である位置Ｐ１１が変形位置であることを検出できる。
【００３３】
二次元的に広がりのある各電極パターンでは、第一電極／第一高分子固体電解質／中央電極／第二高分子固体電解質／第二電極を構成するセンサ部の高さ方向の変位量を電圧に変換可能なため、二次元平面での変位位置センサとして利用できるだけでなく、変位の大きさと曲げ弾性率との関係から圧力を電圧に変換することで圧力分布を測定することが可能である。更に、三次元での形状変化を検出するセンサとして利用することができる。
【００３４】
本発明のセンサの電極パターンは、例えば図４〜１４に例示される各種形状をとり得る。
【００３５】
図４の平面図に示す例の電極パターンの形状は、第一高分子固体電解質３ａ／電極２／第二高分子固体電解質３ｂからなる積層体の第一高分子固体電解質３ａの外面に、Ｙ方向に対して角度を傾けたストライプ状の第一電極４ａ１・４ａ２・４ａ３・・・がＸ方向に並べて設けられている。積層体の高分子固体電解質３ｂの外面（図面の裏側に相当）にはＸ方向のストライプ状の第二電極４ｂ１・４ｂ２・４ｂ３・・・（点線示）がＹ方向に並べて設けられている。ストライプ状の第一電極４ａ１・４ａ２・４ａ３・・・と、ストライプ状の第二電極４ｂ１・４ｂ２・４ｂ３・・・とは、見透した投影面上の一部に交点を有しており、その交点でセンサ部を形成している。
【００３６】
電極パターンの別な例を図５の平面図に示す。この例では、第一高分子固体電解質３ａ／電極２／第二高分子固体電解質３ｂからなる積層体の第一高分子固体電解質３ａの外面に、Ｘ方向に波線の繰り返されている第一電極４ａ１・４ａ２・４ａ３・・・がＹ方向に所定の間隔で並べて設けられている。積層体の高分子固体電解質３ｂの外面（図面の裏側に相当）にはＹ方向の第二電極４ｂ１・４ｂ２・４ｂ３・・・（点線示）がＸ方向にストライプ状に並べて設けられている。波線状の第一電極４ａ１・４ａ２・４ａ３・・・と、ストライプ状の第二電極４ｂ１・４ｂ２・４ｂ３・・・とは、見透した投影面上の一部に交点を有しており、その交点でセンサ部を形成している。
【００３７】
電極パターンのさらに別な例を図６（平面図）に示す。この例では、第一高分子固体電解質３ａ／電極２／第二高分子固体電解質３ｂからなる積層体の第一高分子固体電解質３ａの外面に、円形電極がＸ方向に繰り返されて線状電極で繋げられた第一電極４ａ１・４ａ２・４ａ３・・・がＹ方向に並べて設けられている。高分子固体電解質３ｂの外面（図面の裏側に相当）に、円形電極がＹ方向に繰り返されて線状電極で繋げられた第二電極４ｂ１・４ｂ２・４ｂ３・・・（点線示）がＸ方向に並べて設けられている。第一電極の円形電極のピッチと、円形電極を有する第二電極の並びピッチとは等ピッチとなっており、第一電極の円形電極から第一高分子固体電解質３ａ／電極２／第二高分子固体電解質３ｂを経て見透した第二電極の円形電極は重なり合う位置になっており、その位置でセンサ部を形成している。
【００３８】
電極パターンのさらに別な例を図７（平面図）に示す。この例では、第一高分子固体電解質３ａ／電極２／第二高分子固体電解質３ｂからなる積層体の第一高分子固体電解質３ａの外面に、矩形電極がＸ方向に繰り返されて線状電極で繋げられた第一電極４ａ１・４ａ２・４ａ３・・・がＹ方向に並べて設けられている。高分子固体電解質３ｂの外面（図面の裏側に相当）に、矩形電極がＹ方向に繰り返されて線状電極で繋げられた第二電極４ｂ１・４ｂ２・４ｂ３・・・（点線示）がＸ方向に並べて設けられている。第一電極の矩形電極のピッチと、矩形電極を有する第二電極の並びピッチとは等ピッチとなっており、第一電極の矩形電極から第一高分子固体電解質３ａ／電極２／第二高分子固体電解質３ｂを経て見透した第二電極の矩形電極は重なり合う位置になっており、その位置でセンサ部を形成している。
【００３９】
電極パターン形状のさらに別の例を図８（平面図）に示す。この例では、第一高分子固体電解質３ａ／電極２／第二高分子固体電解質３ｂからなる積層体の第一高分子固体電解質３ａの外面に、三角形電極がＸ方向に繰り返されて線状電極で繋げられた第一電極４ａ１・４ａ２・４ａ３・・・がＹ方向に並べて設けられている。高分子固体電解質３ｂの外面（図面の裏側に相当）に、三角形電極がＹ方向に繰り返されて線状電極で繋げられた第二電極４ｂ１・４ｂ２・４ｂ３・・・（点線示）がＸ方向に並べて設けられている。第一電極の三角形電極のピッチと、三角形電極を有する第二電極の並びピッチとは等ピッチとなっており、第一電極の三角形電極から第一高分子固体電解質３ａ／電極２／第二高分子固体電解質３ｂを経て見透した第二電極の三角形電極は重なり合う位置になっており、その位置でセンサ部を形成している。
【００４０】
電極パターンのさらに別の例を図９（平面図）に示す。この例では、第一高分子固体電解質３ａ／電極２／第二高分子固体電解質３ｂからなる積層体の第一高分子固体電解質３ａの外面に、六角形電極がＸ方向に繰り返されて線状電極で繋げられた第一電極４ａ１・４ａ２・４ａ３・・・がＹ方向に並べて設けられている。高分子固体電解質３ｂの外面（図面の裏側に相当）に、六角形電極がＹ方向に繰り返されて線状電極で繋げられた第二電極４ｂ１・４ｂ２・４ｂ３・・・（点線示）がＸ方向に並べて設けられている。第一電極の六角形電極のピッチと、六角形電極を有する第二電極の並びピッチとは等ピッチとなっており、第一電極の六角形電極から第一高分子固体電解質３ａ／電極２／第二高分子固体電解質３ｂを経て見透した第二電極の六角形電極は重なり合う位置になっており、その位置でセンサ部を形成している。
【００４１】
電極パターンのさらに別の例を図１０（一部切欠き平面図）に示す。この例では、第一高分子固体電解質３ａ／電極２／第二高分子固体電解質３ｂからなる積層体の第一高分子固体電解質３ａの外面に、櫛形がＹ方向に繰り返された線状の第一電極４ａ１・４ａ２・４ａ３・・・がＸ方向に並べて設けられている。高分子固体電解質３ｂの外面（図面の裏側に相当）に、櫛形がＸ方向に繰り返された線状の第二電極４ｂ１・４ｂ２・４ｂ３・・・（点線示）がＹ方向に並べて設けられている。第一電極の櫛形のピッチと、櫛形電極を有する第二電極の並びピッチとは等ピッチとなっており、第一電極の櫛形に含まれる矩形電極部から第一高分子固体電解質３ａ／電極２／第二高分子固体電解質３ｂを経て見透した第二電極の櫛形に含まれる矩形電極部は重なり合う位置になっており、その位置でセンサ部を形成している。第一電極および第二電極の櫛形に含まれる矩形電極部以外の位置では重なり合いがない。
【００４２】
本発明のマルチ積層変形センサは、電極／電解質／電極／電解質／電極の層構成を本質とするが、電極の長手方向の抵抗を低減することを目的として、電極表面に集電体を設けてもよい。
【００４３】
図１１には、上記目的の集電体を備えた電極を有する変形センサ２５の一例の切欠き斜視図が示してある。図１２は平面図である。第一高分子固体電解質３ａ／電極２／第二高分子固体電解質３ｂからなる積層体の第一高分子固体電解質３ａの外面に、一定の間隔をおいて設置された第１列の矩形電極７ａ１１・矩形電極７ａ１２・矩形電極７ａ１３・・・がＹ方向に並べられ、第２列の矩形電極７ａ２１・矩形電極７ａ２２・矩形電極７ａ２３・・・がＹ方向に並べられ、第３列の矩形電極７ａ３１・７ａ３２・７ａ３３・・・がＹ方向に並べられている。電解質３ｂの外面に、同様に第１列の矩形電極７ｂ１１・矩形電極７ｂ１２・矩形電極７ｂ１３・・・、第２列の矩形電極７ｂ２１・矩形電極７ｂ２２・矩形電極７ｂ２３・・・、第３列の矩形電極７ｂ３１・矩形電極７ｂ３２・矩形電極７ｂ３３・・・がＸ方向に並べられている。第１列の矩形電極７ａ１１・矩形電極７ａ１２・矩形電極７ａ１３・・・は集電体９ａ１によって電気的に導通され集電体付き電極１０ａ１となっている。第２列の矩形電極７ａ２１・矩形電極７ａ２２・矩形電極７ａ２３・・・も同様に集電体９ａ２によって導通され集電体付き電極１０ａ２となっている。第３列の矩形電極７ａ３１・７ａ３２・７ａ３３・・・も同様に集電体９ａ３によって導通され集電体付き電極１０ａ３となっている。裏面の第１列の矩形電極７ｂ１１・矩形電極７ｂ１２・矩形電極７ｂ１３・・・は集電体９ｂ１によってＸ方向、第２列の矩形電極７ｂ２１・矩形電極７ｂ２２・矩形電極７ｂ２３・・・は集電体９ｂ２によってＸ方向、第３列の矩形電極７ｂ３１・矩形電極７ｂ３２・矩形電極７ｂ３３・・・は集電体９ｂ３によってＸ方向に導通されて、夫々集電体付き電極１０ｂ１、集電体付き電極１０ｂ２、集電体付き電極１０ｂ３となっている。
【００４４】
図１３および図１４には、集電体の形状のさらに別な例の変形センサが示してある。この変形センサは、図１３の側面図に示したように、第一集電体付き電極１０ａ（集電体９ａ／電極７ａ）／第一高分子固体電解質３ａ／集電体付き中央電極２（電極８ａ／集電体９／電極８ｂ）／第二高分子固体電解質３ｂ／第二集電体付き電極１０ｂ（電極７ｂ／集電体９ｂ）からなる。
【００４５】
図１３（側面図）の例の変形センサは、図１４の一部切欠き平面図で示すように集電体９の一面に定ピッチで第１列のｎ個の矩形電極（８ａ１１・８ａ１２・８ａ１３・・・８ａ１ｎ）、第２列のｎ個の矩形電極（８ａ２１・８ａ２２・８ａ２３・・・８ａ２ｎ）、第３列のｎ個の矩形電極（８ａ３１・８ａ３２・８ａ３３・・・８ａ３ｎ）、・・・、第ｍ列のｎ個の矩形電極（８ａｍ１・８ａｍ２・８ａｍ３・・・８ａｍｎ）がＸ方向に並べられている。同じく集電体９の二面に第１列のｎ個の矩形電極（８ｂ１１・８ｂ１２・８ｂ１３・・・８ｂ１ｎ）、第２列のｎ個の矩形電極（８ｂ２１・８ｂ２２・８ｂ２３・・・８ｂ２ｎ）、第３列のｎ個の矩形電極（８ｂ３１・８ｂ３２・８ｂ３３・・・８ｂ３ｎ）、・・・、第ｍ列のｎ個の矩形電極（８ｂｍ１・８ｂｍ２・８ｂｍ３・・・８ｂｍｎ）がＸ方向に並べられている。したがって、集電体９の両面にある２×ｍｎ個の矩形電極は、すべて導通する。
【００４６】
第一高分子固体電解質３ａの外面には、定ピッチで第１列のｎ個の矩形電極（７ａ１１・７ａ１２・７ａ１３・・・７ａ１ｎ）がＹ方向に並べられて集電体９ａ１が付され、第２列のｎ個の矩形電極（７ａ２１・７ａ２２・７ａ２３・・・７ａ２ｎ）がＹ方向に並べられて集電体９ａ２が付され、第３列のｎ個の矩形電極（７ａ３１・７ａ３２・７ａ３３・・・７ａ３ｎ）がＹ方向に並べられて集電体９ａ３が付され、・・・、第ｍ列のｎ個の矩形電極（７ａｍ１・７ａｍ２・７ａｍ３・・・７ａｍｎ）がＹ方向に並べられて集電体９ａｍが付されている。第二高分子固体電解質３ｂの反対面には、定ピッチで第１列のｍ個の矩形電極（７ｂ１１・７ｂ１２・７ｂ１３・・・７ｂ１ｍ）がＸ方向に並べられて集電体９ｂ１が付され、第２列のｍ個の矩形電極（７ｂ２１・７ｂ２２・７ｂ２３・・・７ｂ２ｍ）がＸ方向に並べられて集電体９ｂ２が付され、第３列のｍ個の矩形電極（７ｂ３１・７ｂ３２・７ｂ３３・・・７ｂ３ｍ）がＸ方向に並べられて集電体９ｂ３が付され、・・・、第ｎ列のｍ個の矩形電極（７ｂｎ１・７ｂｎ２・７ｂｎ３・・・７ｂｎｍ）がＸ方向に並べられて集電体９ｂｎが付されている。
【００４７】
上記により図面を参照して説明した実施形態の本発明のマルチ積層変形センサは、駆動層である高分子固体電解質の層が２層である例を挙げてあるが、さらに多層の３層、４層、５層であっても実施できる。
【００４８】
本発明のセンサは、センサの一部または全部に、変形、特に曲げ変形が与えられた場合に起電力を生じる。ここで曲げ変形とは、変形を付与するための対象物がセンサ表面に押し当てられた場合に対象物の形状と同方向の曲率がセンサへ付与されることを意味し、例えばセンサ平面内に均一に変形（圧力）が付与される単純圧縮や、片持ちハリ状に保持されたセンサの自由端部分に変形を付与する場合は含まない。対象物の形状は、センサへ曲率が付与される限り特に制限は無いが、例えば、球状、ラグビーボール形状、円柱状、柱状、直方体状、立方体状のものが挙げられる。対象物の具体的な例としては、人体の一部（指、手のひら、足の裏、背中、臀部など）、先端が上述の形状を有するペンや棒状物を挙げることができる。
【００４９】
この変形センサの層構成を形成する、電極及び高分子固体電解質は、それぞれ同一成分であってもよく、また異なる成分であってもよいが、センサ性能の安定性の観点から、第一電極４ａ、第二電極４ｂ、及び中央電極２が同一成分であり、かつ第一高分子固体電解質３ａ、及び第二高分子固体電解質３ｂが同一成分であることが好ましい。
【００５０】
高分子固体電解質は、空気中でのセンサ起電力の安定性から、実質的に水を含まないことが好ましい。水を含む場合、水の揮発によって高分子固体電解質のイオン伝導率が変化してしまい、センサの起電力、及び起電力の安定性が低下する問題を生じる。
【００５１】
高分子固体電解質を構成する高分子成分としては、高分子固体電解質が実質的に水を含まない限り特に限定されないが、例えばポリエチレン、ポリスチレン、フッ素樹脂などにスルホン酸基、カルボキシル基などのイオン解離性基を導入したもの、パーフルオロスルホン酸樹脂（商品名「Ｎａｆｉｏｎ」、ＤｕＰｏｎｔ製）、パーフルオロカルボン酸樹脂（商品名「フレミオン」、旭硝子社製）、などを使用することができる。
【００５２】
電極を構成する活物質としては、特に制限はないが、例えば単層カーボンナノチューブ、多層カーボンナノチューブ、カーボンナノホーン、カーボンナノシート（グラフェンシート）、ポリアセン、炭素繊維、気相成長炭素繊維、アセチレンブラック、ファーネスブラック、チャンネルブラック等のカーボンブラックやケッチェンブラック、バルカン等の高比表面積カーボンブラック、黒鉛、活性炭などの炭素系材料、金、白金、銀、パラジウム、銅、ニッケル、アルミニウム、チタン、亜鉛、ジルコニウム、鉄、コバルト、錫、鉛、インジウム、クロム、モリブデン、マンガンなどの金属材料、インジウム−錫複合酸化物（ＩＴＯ）、アンチモン−錫複合酸化物（ＡＴＯ）、酸化ルテニウム（ＲｕＯ２）、酸化チタン（ＴｉＯ２）、酸化亜鉛（ＺｎＯ）、酸化錫（ＳｎＯ２）、酸化イリジウム（ＩｒＯ３）、酸化タングステン（ＷＯ３）、酸化モリブデン（ＭｏＯ３）などの金属酸化物、硫化亜鉛（ＺｎＳ）、硫化銅（ＣｕＳ）などの金属硫化物、ポリ（エチレン−３，４−ジオキシチオフェン）（ＰＥＤＯＴ）、ポリアニリン誘導体、ポリピロール誘導体などの導電性高分子などを例示することができる。
【００５３】
電極に透明性が求められる用途では、例えばインジウム錫酸化物（ＩＴＯ）、アンチモン錫酸化物（ＡＴＯ）、酸化亜鉛のような金属酸化物を蒸着したもの、単層カーボンナノチューブや多層カーボンナノチューブを溶剤中に分散させコーティングしたもの、あるいはポリエチレンジオキシチオフェン等の導電性高分子を塗工したものが電極として挙げられる。また、可撓性を持たせる目的で、上記の物質をポリエチレンテレフタラート（ＰＥＴ）等のフィルム上に蒸着、コーティングしたものを用いても良い。
【００５４】
これらのうちでも、電気化学的安定性、耐酸化還元安定性の観点から、電極の活物質は炭素材料であることが好ましい。炭素材料を使用する場合、センサ性能の観点から、比表面積は好ましくはＢＥＴ比表面積が１ｍ２／ｇ〜４０００ｍ２／ｇの範囲にあり、さらに好ましくは５ｍ２／ｇ〜３０００ｍ２／ｇの範囲である。なお、ＢＥＴ比表面積とは、液体窒素温度での窒素ガス吸着等温線によるＢＥＴ法（例えば株式会社フジ・テクノシステム発行、「超微粒子ハンドブック」、１３８−１４１頁（１９９０年）参照）により求められる比表面積である。センサの性能の観点から、炭素材料としては、高比表面積カーボンブラック、カーボンナノホーン、活性炭、黒鉛、カーボンナノチューブであることがより好ましく、高比表面積カーボンブラック、活性炭、カーボンナノチューブであることがさらに好ましい。
【００５５】
上述の条件を満たす活物質は、１種類を用いてもよいし、複数種類を組み合わせて用いてもよい。複数種類を組み合わせる場合、特に制限は無いが、一般的には２種類から５種類程度であることが製造工程の煩雑化を避ける面で好ましい。
【００５６】
本発明のマルチ積層変形センサを構成する電極は、上述の電極の活物質以外に、導電材を含んでいてもよい。導電材は電極の抵抗を低減するために用いることができ、例えば単層カーボンナノチューブ、多層カーボンナノチューブ、カーボンナノホーン、カーボンナノシート、炭素繊維、気相成長炭素繊維、カーボンブラック、黒鉛などの炭素系材料、金、白金、パラジウム、銅、ニッケル、アルミニウム、チタン、亜鉛、ジルコニウム、鉄、コバルト、錫、鉛、インジウム、クロム、モリブデン、マンガンなどの金属材料、ＩＴＯ、ＡＴＯ、ＲｕＯ２、ＴｉＯ２、ＺｎＯ、ＳｎＯ２、ＩｒＯ２、ＷＯ３、ＭｏＯ３などの金属酸化物、ＺｎＳ、ＣｕＳなどの金属硫化物、ＰＥＤＯＴ、ポリアニリン誘導体、ポリピロール誘導体などの導電性高分子などを例として挙げることができる。
【００５７】
電極は、上述した活物質及び導電材以外にバインダーを含んでいてもよい。バインダーとしては例えば、ポリエチレン、ポリプロピレン等のポリオレフィン樹脂、ポリスチレン、ポリα−メチルスチレン等のポリスチレン系樹脂、ポリメタクリル酸、ポリメタクリル酸メチル、ポリメタクリル酸ブチル、ポリアクリル酸、ポリアクリル酸メチル、ポリアクリル酸エチル、ポリアクリル酸ブチル等のポリ（メタ）アクリル酸系樹脂、ポリ塩化ビニル、ポリ塩化ビニリデン、ポリフッ化ビニリデン、フッ化ビニリデン−ヘキサンフルオロプロピレンランダム共重合体、ポリテトラフルオロエチレン、ポリトリフルオロエチレン等のハロゲン化ビニル系樹脂、ポリエチレングリコールテレフタレート、ポリエチレングリコールナフタレート、ポリブチレングリコールテレフタレート等のポリエステル系樹脂、ナイロン−６、ナイロン−６,６、ナイロン−９Ｔ、ナイロン−１１、ナイロン−１２、ナイロン-６,１２等のポリアミド系樹脂、熱可塑性ポリウレタン系樹脂、ポリカーボネート系樹脂や不飽和ポリエステル、エポキシ樹脂、アルキド樹脂、フェノール樹脂、熱硬化性ポリウレタン樹脂等の熱硬化性樹脂、あるいは天然ゴム、イソプレンゴム、ブタジエンゴム、スチレン−ブタジエンゴム（スチレンブタジエンランダム共重合体）、アクリルゴム、ニトリルゴム（ＮＢＲ）、ノルボルネンゴム、シリコーンゴム、ウレタンゴム（軟質熱硬化型ポリウレタンを含む）等のゴム類あるいはこれらの架橋体、オレフィン系熱可塑性エラストマー（ＴＰＯ）、スチレン系熱可塑性エラストマー（ＴＰＳ）、架橋性オレフィン系熱可塑性エラストマー（ＴＰＶ）、アクリル系熱可塑性エラストマー（例えば、ポリメタクリル酸メチルとポリアクリル酸ブチルのブロック共重合体など）、ポリウレタン系熱可塑性エラストマー（ＴＰＵ）、ポリエステル系熱可塑性エラストマー（ＴＰＥＥ）、ポリアミド系熱可塑性エラストマー（ＴＰＡＥ）等の熱可塑性エラストマー類、ポリエチレン、ポリスチレン、フッ素樹脂などにスルホン酸基、カルボキシル基などのイオン解離性基を導入したもの、パーフルオロスルホン酸樹脂（商品名「Ｎａｆｉｏｎ」、ＤｕＰｏｎｔ製）、パーフルオロカルボン酸樹脂（商品名「フレミオン」、旭硝子社製）、などを挙げることができる。
【００５８】
これらのうちでも、高分子固体電解質との接合性の観点から、高分子固体電解質に含まれる高分子成分と同一成分であることが好ましい。
【００５９】
集電体としては、例えば、金、銀、銅、白金、アルミニウム、ニッケル等の金属箔や金属薄膜、金、銀、ニッケル等の金属粉やカーボンパウダー、カーボンナノチューブ、炭素繊維などの炭素微粉とバインダー樹脂からなる膜状成形体、織物、紙、不織布などの布帛や高分子フィルムなどにスパッタやメッキなどの方法により金属薄膜を形成したものなどを挙げることができる。これらのうちでも可撓性の観点からは金属粉とバインダー樹脂とからなる膜状成形体、布帛や高分子フィルムなどに金属薄膜を形成したものであることが好ましい。
【００６０】
高分子電解質膜への電極の接合方法には制限はなく、公知の方法として、例えば非導電部（電極パターンの空白地）にマスクをした状態で、金属類の真空蒸着法、スパッタリング法や電解メッキ法、無電解メッキ法、又は必要に応じ適切なバインダーに導電材料を溶解あるいは分散させたインキを塗布する方法、あるいは上記の方法で電極パターンをあらかじめＰＥＴのような絶縁フィルムに接合させ、電極パターンが接合された絶縁フィルムを圧着、溶着により、あるいは接着剤を介して貼りあわせる方法等を挙げることができる。
【００６１】
本発明のマルチ積層変形センサの形状については、特に制限はなく、例えば、膜状、フィルム状、シート状、板状、織物状、ロッド状、立方体状又は直方体状などが挙げられ、これらは使用目的に応じ適宜選択すればよい。また変形センサの厚さについても特に制限はないが、例えば形状が膜状である場合には、膜自身の抵抗の観点から厚みが１０−６〜１０−１ｍの範囲にあるのが好ましい。
【００６２】
変形センサは、空気中、水中、真空中、有機溶媒中など使用環境に応じて、適宜封止を施してもよい。封止材料の例としては、特に制限はなく、各種樹脂などを挙げることができる。また封止材料を使用する場合、センサが効率良く変形するように、センサと接する封止材料の表面に凹凸形状を付与することも可能である。
【００６３】
本発明の変形センサが検出可能な動作としては、押し、曲げ、捻り、振り、叩き、踏み、握り、揺れ、挟み、振動、衝撃などが挙げられる。該センサはこれらの動作によって付与された変形を電圧信号に変換することで、変形位置および圧力分布を精度良く検出する。
【００６４】
本発明の変形センサを用いた例としては、速度センサ、加速度センサ、圧力センサ、流速センサ、曲率センサ、変位センサ、位置センサ、触覚センサ、振動センサ、力センサ、荷重センサ、衝撃センサ、液面センサ、角速度センサ、傾斜センサ、角度センサ、液滴センサ、方位センサ、慣性力センサ、回転センサ、アナログ検出センサ、などを挙げることができる。また高さ方向のアナログ検出信号に加えて、二次元平面での変形位置の検出信号を加えることで三次元の位置検出センサとして使用することができる。
【００６５】
本発明の変形センサを用いた具体的な用途としては、自動車のエアバック作動用やシートベルト用、タイヤの動きや圧力検出用、着座用、ドアや窓の開閉用、ゲーム機コントローラ用、リモコン等のスイッチやディスプレイ用、携帯電話または携帯情報端末用、各種ロボット用、手ぶれ防止や倍率調整等のためのカメラ用、マイクロエレクトロメカニカルシステム（ＭＥＭＳ）用、侵入物検出用、ロードセル用、障害物検出用、衝突時等の非常作動用、マイク用、ソナー用、水位検出用、工場等の生産ライン管理用や品質確認用、農作物等の生育管理用、カメラ等の精密機器スイッチ用、電子楽器等のキーボードや音量調整用、風速計用、水流計用、発電機用、ポテンショメータ、ロータリーエンコーダ、ロボットや機械の制御または緊急停止用、人工皮膚、人や動物の動き（間接の曲げや伸ばし、走り、歩き、手や足等の振りや回転、跳び、座り、脈拍、呼吸、瞬き等）検出用、モーションキャプチャ、衣服の動き（生地の曲げや伸び縮み、人肌との接触位置、人肌との間で生じる圧力等）検出用、インテリア（カーテン、カーペット、壁材、ベッド等）の動きや付与される圧力の検出用、構造物の揺れや振動を検出するヘルスモニタリング用、などを挙げることができる。
【実施例】
【００６６】
以下、本発明の実施例を詳細に説明するが、本発明の範囲はこれらの実施例に限定されるものではない。また、参考例、実施例及び比較例において用いられた検出機器、測定方法及び使用材料を以下に示す。【００６７】
（１）変形センサの起電力の測定
第一電極／第一高分子固体電解質／中央電極／第二高分子固体電解質／第二電極の層構成からなる変形センサにおいて、第一電極、中央電極、第二電極の各々に、外部電気回路に導通するリード体をつなげて、変形センサから生じる起電力を、外部電気回路であるデータロガー（キーエンス社製「ＮＲ−ＳＴ０４」）を用いて検出した。【００６８】
（２）使用材料
・ケッチェンブラック：ライオン社製「ケッチェンブラック  ＥＣ」を購入しそのまま用いた。
・ナフィオン膜：ナフィオン２１２膜を購入し、そのまま用いた。
・ナフィオン分散溶液：和光純薬工業社より入手した「５％ナフィオン分散溶液  ＤＥ５２０  ＣＳタイプ」をそのまま用いた。
・銀フレーク：大研化学社製「Ｓ−３００」を購入し、そのまま用いた。
・熱可塑性エラストマー：クラレ社製スチレン系熱可塑性エラストマー「セプトン２００２」を用いた。【００６９】
その他の材料、試薬類は市販品を購入し、必要に応じて定法に従い精製を行ったものを用いた。【００７０】
＜参考例１＞  電極膜の作製
サンプル瓶に、所定量のケッチェンブラックを量り取り、ここにナフィオンの分散溶液を加えた。作製した分散液を室温で１２時間超音波照射し、その後、所定サイズの型に液を流し込みキャストすることにより電極膜を得た。【００７１】
＜参考例２＞  集電極の作製
サンプル瓶に、所定量の熱可塑性エラストマー、トルエンを量り取り、攪拌して熱可塑性エラストマーを溶解することで均一な粘性液体を調製した。ここに銀フレークを加えて攪拌することで、銀を含む導電性ペーストを得た。作製した導電性ペーストを、アプリケータを用いて塗工、乾燥することで導電性膜を得た。【００７２】
＜参考例３＞  変形センサの作製
ナフィオン膜で、参考例１で作製した電極膜を挟み込み、更に最外層に電極膜２枚を配した後に、この状態で熱プレスを行って接着させ変形センサとした。必要に応じて、得られた変形センサの最外層に参考例２で得られた導電膜を集電極として配した後に、この状態で熱プレスを行って接着した。【００７３】
＜実施例１＞
図２、図３に示した第一電極４ａ１・４ａ２・４ａ３・・・／第一高分子固体電解質３ａ／中央電極２／第二高分子固体電解質３ｂ／第二電極４ｂ１・４ｂ２・４ｂ３・・・からなる変形センサ１の、第一電極から第一高分子固体電解質３ａ／中央電極２／第二高分子固体電解質３ｂを見透した第二電極と交点（Ｐ１１・Ｐ１２・Ｐ１３・・・）、（Ｐ２１・Ｐ２２・Ｐ２３・・・）、（Ｐ３１・Ｐ３２・Ｐ３３・・・）・・・で、センサ部が形成される。【００７４】
この変形センサ１をＮＢＲ発砲ゴム上に設置し直径２０ｍｍの球状物を用いて、変形を付与して、第一電極４ａ３と中央電極２との間、および中央電極２と第二電極４ｂ３との間で起電力が生じ、第一電極４ａ３の線上、及び第二電極４ｂ３の線上に電位差が生ずる。つまり第一電極４ａ３の線上、及び第二電極４ｂ３の線上の交点である位置Ｐ３３が変形位置であることを認識できた。【００７５】
＜比較例１＞
図１５に示すように高分子固体電解質３の、片面にＹ方向のストライプ電極ａ１・ａ２・ａ３・ａ４をＸ方向に並べて設け、裏側の片面にＸ方向のストライプ電極ｂ１・ｂ２・ｂ３・ｂ４をＹ方向に並べて設け、ストライプ電極／高分子固体電解質／ストライプ電極からなる比較例の変形センサ２０を試作した。図１６の平面図に示すとおり、変形センサ２０のストライプ電極ａ１・ａ２・ａ３・ａ４とストライプ電極ｂ１・ｂ２・ｂ３・ｂ４との交点で、電極／高分子固体電解質／電極の層構成からなるセンサ部が形成される。【００７６】
この比較例の変形センサ２０をＮＢＲ発砲ゴム上に設置し直径２０ｍｍの球状物を用いて、ストライプ電極の交点ａ２・ｂ３に変形を付与した場合、ストライプ電極ａ２とストライプ電極ｂ３との間で起電力が生じるだけでなく、例えば隣接する交点ａ２・ｂ４（ストライプ電極ａ２とストライプ電極ｂ４）でも起電力が検出されクロストークが生じていることが明らかであった。この場合、電圧信号の処理が複雑となり、特に多点の変形位置を特定することが困難になる。【００７７】
＜実施例２＞
図１１および図１２に示した、第一集電体付き電極１０ａ（集電体９ａ／電極７ａ）／第一高分子固体電解質３ａ／中央電極２／第二高分子固体電解質３ｂ／第二集電体付き電極１０ｂ（電極７ｂ／集電体９ｂ）からなる変形センサ２５を試作した。【００７８】
第一集電体付き電極の、第１列１０ａ１は矩形電極７ａ１１・７ａ１２・７ａ１３・・・がＹ方向に並べられ集電体９ａ１によって電気的に導通され、第２列１０ａ２は矩形電極７ａ２１・７ａ２２・７ａ２３・・・がＹ方向に並べられ集電体９ａ２によって導通され、第３列１０ａ３は矩形電極７ａ３１・７ａ３２・７ａ３３・・・がＹ方向に並べられ集電体９ａ３によって導通されている。第二集電体付き電極の、第１列１０ｂ１は矩形電極７ｂ１１・７ｂ１２・７ｂ１３・・・がＸ向に並べられ集電体９ｂ１によって電気的に導通され、第２列１０ｂ２は矩形電極７ｂ２１・７ｂ２２・７ｂ２３・・・がＸ向に並べられ集電体９ｂ２によって電気的に導通され、第３列１０ｂ３は矩形電極７ｂ３１・７ｂ３２・７ｂ３３・・・がＸ方向に並べられ集電体９ｂ３によって電気的に導通されている。【００７９】
この変形センサ２５をＮＢＲ発砲ゴム上に設置し直径２０ｍｍの球状物を用いて、図１２に示す位置Ｐに変形を付与した。第一集電体付き電極の第２列１０ａ３（集電体９ａ３）と、第二集電体付き電極の第３列１０ｂ３（集電体９ｂ３）との間に、起電力が測定でき、位置Ｐが変形位置であることが認識できた。【００８０】
＜比較例２＞
図１７に示す高分子固体電解質３の、片面にＹ方向の集電体付きストライプ電極１５ａ１・１５ａ２・１５ａ３・１５ａ４をＸ方向に並べて設け、裏側の片面にＸ方向の集電体付きストライプ電極１５ｂ１・１５ｂ２・１５ｂ３・１５ｂ４をＹ方向に並べて設け、集電体付きストライプ電極／高分子固体電解質／集電体付きストライプ電極からなる比較例の変形センサ３０を試作した。集電体付きストライプ電極１５ａ１はＹ方向に定間隔で並べられた矩形電極２２の一列を帯状の集電体９ａ１で導通し、集電体付きストライプ電極１５ａ２は同様に矩形電極２２の一列を集電体９ａ２で導通し、集電体付きストライプ電極１５ａ３は矩形電極２２の一列を集電体９ａ３で導通し、集電体付きストライプ電極１５ａ４は矩形電極２２の一列を集電体９ａ４で導通したものである。集電体付きストライプ電極１５ｂ１・１５ｂ２・１５ｂ３・１５ｂ４は、各列の矩形電極２２を帯状の各集電体９ｂ１・９ｂ２・９ｂ３・９ｂ４で導通したものである。図１８の平面図に示すとおり、変形センサ３０のストライプ電極１５ａ１・１５ａ２・１５ａ３・１５ａ４とストライプ電極１５ｂ１・１５ｂ２・１５ｂ３・１５ｂ４との交点で、電極／高分子固体電解質／電極の層構成からなるセンサ部が形成される。【００８１】
この比較例の変形センサ３０をＮＢＲ発砲ゴム上に設置し直径２０ｍｍの球状物を用いて、例えばストライプ電極の交点１５ａ２・１５ｂ３に変形を付与した場合、ストライプ電極１５ａ２とストライプ電極１５ｂ３との間で起電力が生じるだけでなく、例えば隣接する交点１５ａ２・１５ｂ４（ストライプ電極ａ２とストライプ電極ｂ４）でも起電力が検出されクロストークが生じていることが明らかであった。この場合、電圧信号の処理が複雑となり、特に多点の変形位置を特定することが困難になる。
【産業上の利用可能性】
【００８２】
本発明のマルチ積層変形センサは、例えば速度センサ、加速度センサ、圧力センサ、角度センサ、流速センサ、歪みセンサ、変位センサ、位置センサ、曲げセンサ、触覚センサ、構造物の振動検知装置、あるいはセンサによって検出された二次元平面での変形位置情報に高さ方向の変形量の情報を加えて、三次元で画像変換することも可能であり、モーションキャプチャ等の多様な用途に適用できる。
【図１】
2010095581.tif 000003
【図２】
2010095581.tif 000004
【図３】
2010095581.tif 000005
【図４】
2010095581.tif 000006
【図５】
2010095581.tif 000007
【図６】
2010095581.tif 000008
【図７】
2010095581.tif 000009
【図８】
2010095581.tif 000010
【図９】
2010095581.tif 000011
【図１０】
2010095581.tif 000012
【図１１】
2010095581.tif 000013
【図１２】
2010095581.tif 000014
【図１３】
2010095581.tif 000015
【図１４】
2010095581.tif 000016
【図１５】
2010095581.tif 000017
【図１６】
2010095581.tif 000018
【図１７】
2010095581.tif 000019
【図１８】
2010095581.tif 000020
【国際調査報告】
2010095581.tif 000021
2010095581.tif 000022
2010095581.tif 000023
2010095581.tif 000024